(57)【特許請求の範囲】
【請求項１】
筒状の粘着トラップと、前記粘着トラップを外周囲で支持する筒状支持体と、を有する飛翔性害虫捕獲装置であって、
前記粘着トラップは、外表面に粘着性材料が塗布され光吸収性の高い色とされた粘着シートの両側端縁が結合されて筒状に形成されたものからなり、
前記筒状支持体は、シート材を折り曲げて組み立てることにより形成された所定高さに直立される筒状部を有し、前記筒状部は下部に外周から外方へ突出する鍔部を有するとともに、前記鍔部の上方にストッパー部が設けられており、
前記筒状支持体に、前記粘着トラップが上方から被せられて、前記鍔部又は前記ストッパー部のいずれかに位置決め固定されることを特徴とする飛翔性害虫捕獲装置。
【請求項２】
前記粘着トラップは、前記粘着シートの両側端縁が引裂き可能な結合手段により連結されていることを特徴とする請求項１に記載の飛翔性害虫捕獲装置。
【請求項３】
前記粘着トラップは、前記粘着シートの粘着性材料が塗布された面に剥離シートが貼付されていることを特徴とする請求項１又は２に記載の飛翔性害虫捕獲装置。
【請求項４】
前記筒状支持体は、その体積をＸとしたときに、前記Ｘは、１．０００ｍ３≧Ｘ≧０．００７ｍ３であることを特徴とする請求項１〜３のいずれかに記載の飛翔性害虫捕獲装置。
【請求項５】
前記ストッパー部は、前記筒状支持体の外周囲を一部切り起こした舌片で形成されていることを特徴とする、請求項１〜４のいずれかに記載の飛翔性害虫捕獲装置。
【発明の詳細な説明】
【技術分野】
【０００１】
この発明は、飛翔性害虫捕獲装置に係り、さらに詳しくは家畜などに群がる害虫を捕獲するのに好適な飛翔性害虫捕獲装置に関する。
【背景技術】
【０００２】
牛や豚等の家畜は、牛舎等の家畜場で飼育されている。この家畜場は、人間の家屋と違い、密閉されていないため、隙間があいているものが多い。そのため、家畜を刺し、或いは糞にたかったりするハエや蚊等の空中を飛翔する害虫が侵入する。この飛翔性害虫、例えばサシバエが家畜を刺すと、家畜がストレスを受けて品質が落ち、酪農業者などに経済的な打撃を与えることがある。すなわち、サシバエは、特に牛を好み、牛を刺そうとして牛を追い回すと、牛はそれを避けようとして互いに集まりあい、餌箱から遠ざかるようになる。その結果、乳量が数％（例えば５％）から十数％（例えば２０％）の低下、及び体重、体力の低下を招くともいわれている。
また、飛翔性の害虫が飛び回ることで、伝染病の原因となるおそれもある。なお、害虫を駆除するために殺虫剤を用いることも考えられるが、家畜や人体に悪影響が出るので好ましくない。
【０００３】
このような飛翔性の害虫を捕獲するために、下記特許文献１には、飛翔性害虫を誘引するような形状、模様又はこれらの結合或いはこれらと色彩との結合が施されている飛翔性害虫捕獲用粘着シートの発明が開示されている。
【０００４】
また、下記特許文献２には、基板に容器の底部を画成するよう折線を形成し、該折線を介して前面部、後面部を設け、該折線を折曲げた際上記底部の上方に上記前面部と後面部が間隔をあけて対向すると共に上方に開口する開口部が形成されるよう上記前面部と後面部を折畳み可能に連結し、上記前面部の内側及び又は後面部の内側に捕虫用粘着剤層が形成され、内部に害虫誘引物体を収納し、また近傍に害虫を誘引する発光ダイオ−ド等の発光源を設けて害虫を捕獲するようにした害虫捕獲容器及びそれを用いた害虫捕獲装置の発明が開示されている。
【０００５】
上記特許文献１に開示されている発明では、飛翔性害虫を誘引するような模様等を施すことで、上記特許文献２に開示されている発明では、内部に害虫誘引物体を収納し、また近傍に害虫を誘引する発光ダイオ−ド等の発光源を設けたりすることで、効率的に害虫を誘引して捕獲することができる。
【０００６】
しかし、上記特許文献１に開示されている発明では、誘引する模様等が施されているのはシート状のものであり、飛翔性害虫、特に吸血性の飛翔性害虫が好む家畜の形状とは大きく異なるので、多くの飛翔性害虫を誘引することは困難である。また、上記特許文献２に開示されている発明では、飛翔性害虫を誘引する誘引剤や発光源を用いているが、やはり、多くの飛翔性害虫を誘引することは困難である。
【０００７】
一方、下記特許文献３には、昆虫を捕獲するための立体形状で構成されたトラップの発明が開示されている。このトラップの立体形状は、単に捕獲する面積を増やしただけのものであるので、飛翔性害虫、特に吸血性の飛翔性害虫が好む家畜の形状とは異なるため、多くの飛翔性害虫を誘引することは困難である。
【０００８】
さらに、下記特許文献４には、害虫を外筒体の開口から内部に進入させ、捕獲筒体の粘着面に粘着・捕獲し駆除する害虫捕獲具の発明が開示されている。しかし、この害虫捕獲具は、構造上、外筒体が害虫の旋回の障害となり、捕獲効率が悪く、捕獲筒体を有効に利用できないなどの課題が潜在している。
【０００９】
これらの従来技術の問題点を解決するものとして、下記特許文献５には、立体形状を有する駆除装置本体と、駆除装置本体を覆う外表面に粘着性材料が設けられた被覆シートと、を有する飛翔性害虫駆除装置の発明が開示されている。この飛翔性害虫駆除装置では、被覆シートは光吸収性の高い色とされ、駆除装置本体は曲面、又は、曲面と平面の組み合わせ、又は、隣接する面同士が平行でない少なくとも２面以上の平面のいずれかの形状で構成されている。
【先行技術文献】
【特許文献】
【００１０】
【特許文献１】特開２００２−０８４９５８号公報
【特許文献２】特開２００３−１８０２２１号公報
【特許文献３】米国デザイン特許第４９８８１２号公報
【特許文献４】特開２０００―８３５５３号公報
【特許文献５】特開２０１３−１５３６６９号公報
【発明の概要】
【発明が解決しようとする課題】
【００１１】
上記特許文献５に開示されている飛翔性害虫駆除装置の発明によれば、駆除装置本体の形状を家畜の形状に似させることができるとともに、被覆シートの色が特に吸血性の飛翔性害虫が好む黒色に近い色となっているので、多くの飛翔性害虫を誘引することができる。しかしながら、この飛翔性害虫駆除装置の発明では、長方状の被覆シートを立体形状とされている駆除装置本体の外周に巻いた後、被覆シートの一端に設けた差込部を他端に設けた差込穴に差し込み、そして、被覆シートの被膜シートを取り外して粘着部を露出させ、差込部を粘着部に貼ることによって被覆シートで駆除装置本体を覆うように取り付けるようにしている。このために、このような取り付け方法では、手間がかかるとともに、被覆シートの交換を容易に行うことができないという課題が存在している。また、被覆シートの交換の際、差込部を剥がさなければならないが、上記方法では粘着部に手が触れてしまい非常に作業効率が悪いと共に捕獲した飛翔性害虫を触る可能性も高く、作業者には険悪感を与えてしまうという課題もあった。
【００１２】
また、この飛翔性害虫駆除装置の発明は、被覆シートに飛翔性害虫が全体に万遍なく付着・捕獲されず、その捕獲量が被覆シートの粘着エリアによって違うことが分かった。例えば、サシバエは、特に牛を好んで吸血する飛翔性害虫であるが、通常は、牛舎周辺の草むらや木陰で休息しており、吸血のために牛に近づく際にこの休息場所から飛び出して、地上の比較的低い空間を飛翔して、牛の尻、股及び乳の部分を旋回して、これらの部分を刺す習性をもっている。このサシバエを捕獲するために、地上に飛翔性害虫駆除装置を仕掛けると、被覆シートの粘着エリアによって捕獲量が多い粘着エリア、少ない粘着エリアに分かれて被覆シートの全体に万遍なく付着・捕獲されないことが判明した。
この飛翔性害虫駆除装置では、被覆シートは粘着エリアによって捕獲量が多い、少なくなることは止むを得ないこととして、使用後は、そのまま廃棄されてしまうが、この状態で廃棄されてしまうことは被覆シートの有効利用とならず、資源の無駄になってしまう課題が存在する。
【００１３】
本発明は、上記従来技術が抱えている課題を解決するためになされたもので、本発明の目的は、飛翔性害虫を効率よく誘引することができ、且つ粘着トラップの有効利用ができて、資源の無駄を無くした飛翔性害虫捕獲装置を提供することにある。
【００１４】
また、本発明の他の目的は、装着及び脱着が容易な粘着トラップ及び低コストで軽量な筒状支持体を備えた飛翔性害虫捕獲装置を提供することある。
【課題を解決するための手段】
【００１５】
本発明の第１の態様の飛翔性害虫捕獲装置は、筒状の粘着トラップと、前記粘着トラップを外周囲で支持する筒状支持体と、を有する飛翔性害虫捕獲装置であって、前記粘着トラップは、外表面に粘着性材料が塗布され光吸収性の高い色とされた粘着シートの両側端縁が結合されて筒状に形成されたものからなり、前記筒状支持体は、シート材を折り曲げて組み立てることにより形成された所定高さに直立される筒状部を有し、前記筒状部は下部に外周から外方へ突出する鍔部を有するとともに、前記鍔部の上方にストッパー部が設けられており、前記筒状支持体に、前記粘着トラップが上方から被せられて、前記鍔部又は前記ストッパー部のいずれかに位置決め固定されることを特徴とする。
【００１７】
本発明の第２の態様の飛翔性害虫捕獲装置は、第１の態様の飛翔性害虫捕獲装置において、前記粘着トラップは、前記粘着シートの両側端縁が引裂き可能な結合手段により連結されていることを特徴とする。
【００１８】
本発明の第３の態様の飛翔性害虫捕獲装置は、第１又は２の態様の飛翔性害虫捕獲装置において、前記粘着トラップは、前記粘着シートの粘着性材料が塗布された面に剥離シートが貼付されていることを特徴とする。
【００１９】
本発明の第４の態様の飛翔性害虫捕獲装置は、第１〜３のいずれかの態様の飛翔性害虫捕獲装置において、前記筒状支持体は、その体積をＸとしたときに、前記Ｘは、１．０００ｍ３≧Ｘ≧０．００７ｍ３であることを特徴とする。
【００２１】
さらに、本発明の第５の態様の飛翔性害虫捕獲装置は、第１〜４のいずれかの態様の飛翔性害虫捕獲装置において、前記ストッパー部は、前記筒状支持体の外周囲を一部切り起こした舌片で形成されていることを特徴とする。
【発明の効果】
【００２２】
本発明の第１の態様の飛翔性害虫捕獲装置によれば、粘着トラップは、外表面に粘着性材料が塗布され光吸収性の高い色とされた粘着シートの両側端縁が結合されて筒状に形成されたものからなり、しかも、この粘着トラップを筒状支持体の鍔部又はストッパー部のいずれかで位置決め固定できるので、使用中に粘着トラップへの飛翔性害虫の捕獲状況を監視し、その状況に応じて粘着トラップを筒状支持体で上下動させて鍔部又はストッパー部のいずれかの位置決め固定することにより、粘着トラップに万遍なく飛翔性害虫を捕獲できるようになり、粘着トラップの有効利用が図られて無駄を無くすることができる。加えて、筒状支持体がシート材を折り曲げて組み立てることにより形成されたものからなるので、筒状支持体の組み立てが容易となり、運搬時には、シート材の状態で運搬することができるために嵩張らず、複数個まとめて容易に運搬することができるようになる。
【００２３】
また、本発明の第１の態様の飛翔性害虫捕獲装置によれば、粘着シートの外面は光吸収性の高い色とされているため、特にサシバエ等の吸血性の飛翔性害虫を誘引する効果が高く、効果的に飛翔性害虫を捕獲することができるようになる。なお、最適色は光吸収性が可視光中最大である黒色であり、適色としては光吸収性の高い黒色に近い色、たとえば、濃紺色、紺色、深緑色、濃茶色、暗灰色等であることが好ましく、また、これらの色を組み合わせてもよい。
【００２４】
本発明の第２の態様の飛翔性害虫捕獲装置によれば、使用済みになった粘着トラップを筒状支持体から簡単に取外すことができる。
【００２５】
本発明の第３の態様の飛翔性害虫捕獲装置によれば、被覆シートを筒状支持体に被せる際には、剥離シートの両面の粘着性材料の表面は剥離シートで覆われているので、粘着性材料が周囲に付着することがなくなり、使用前の取り扱い、搬送及び設置も容易になる。また、設置後に外面側に設けられた剥離シートを取り外すことで、はじめて粘着性材料が外表面に現れるので、容易に飛翔性害虫を捕獲できる状態とすることができる。
【００２６】
本発明の第４の態様の飛翔性害虫捕獲装置によれば、家畜の大きさにより近づけることができるので、より多くの害虫を捕獲することができるようになる。また、大きすぎると運搬が困難となり、小さすぎると配置する個数が多くなるので好ましくない。
【００２８】
本発明の第５の態様の飛翔性害虫捕獲装置によれば、シート材を折り曲げて組み立てることにより形成されている筒状支持体の外周囲を一部切り起こした舌片によりストッパー部を形成しているので、容易に筒状支持体の外周囲にストッパー部を形成することができる。
【図面の簡単な説明】
【００２９】
【図１】本発明の実施形態に係る飛翔性害虫捕獲装置の斜視図である。
【図２】図１の飛翔性害虫捕獲装置の使用状態の斜視図である。
【図３】図１の飛翔性害虫捕獲装置を構成する筒状支持体の斜視図である。
【図４】図３の筒状支持体の分解展開図である。
【図５】図５は飛翔性害虫捕獲装置を構成する粘着トラップを示し、図５は粘着トッラプの斜視図、図５Ｂは図５Ａの変形例の粘着トラップの斜視図である。
【図６】図６Ａは第１変形例の筒状支持体の斜視図であり、図６Ｂは第２変形例の筒状支持体の斜視図である。
【発明を実施するための形態】
【００３０】
以下、図面を参照して本発明の実施形態を説明する。ただし、以下に示す実施形態は、本発明の技術思想を具体化するための飛翔性害虫捕獲装置を例示するものであって、本発明をこれに特定することを意図するものではない。本発明は特許請求の範囲に含まれるその他の実施形態のものにも等しく適用し得るものである。
【００３１】
［実施形態］
図１、図２を参照して、本発明の実施形態に係る飛翔性害虫捕獲装置の概要を説明する。なお、図１は本発明の実施形態に係る飛翔性害虫捕獲装置の斜視図、図２は本発明の実施形態に係る飛翔性害虫捕獲装置の使用状態の斜視図である。
本発明の実施形態に係る飛翔性害虫捕獲装置１０は、筒状の粘着トラップ１７と、この粘着トラップが被せられて外周囲で支持する筒状支持体１１と、を有し、粘着トラップ１７は、粘着シート１８が光吸収性の高い色とされ、筒状支持体１１は、所定の高さに直立される筒状部１２を有し、この筒状部１２は下部に外周から外方へ突出する鍔部１４ａ及びこの鍔部の上方に設けたストッパー部１２ｆ、１２ｇ（図４参照）を有し、筒状支持体１１に、粘着トラップ１７が上方から被せられて、鍔部１４ａ又はストッパー部１２ｆ、１２ｇのいずれかの位置で固定される構成となっている。この筒状支持体１１は害虫が家畜と誤認する大きさ、すなわち家畜に疑似した形状に形成される。なお、この飛翔性害虫捕獲装置１０は、使用前、粘着シート１８は剥離シート２１で覆われ、使用時に剥離されるようになっている（図２参照）
この飛翔性害虫捕獲装置１０は、家畜に擬似した大きさの筒状支持体と家畜が好む色の粘着トッラプとで、牛や豚等の家畜に群がる飛翔性の害虫を誘引し、粘着トラップ１７によって、捕獲し駆除するためのものである。飛翔性害虫とは主に家畜から血を吸う、例えばサシバエなどをいう。
【００３２】
以下、飛翔性害虫捕獲装置１０を構成する筒状支持体及び粘着トッラプを説明する。
【００３３】
まず、図３、図４を参照して筒状支持体を説明する。なお、図３は翔性害虫捕獲装置を構成する筒状支持体の斜視図、図４は図３の筒状支持体の分解展開図である。
筒状支持体１１は、図３に示したように、平面視で八角形状の筒状部１２と、筒状部１２の上端を覆う蓋部１３と、筒状部１２の下端を覆う底部１４とを有している。
筒状部１２は、一面の上端側に切り込み付き舌片１２ａが、下端側に別の切り込み付き舌片１２ｂが形成されている。蓋部１３は、平面視した八角形状の筒状部１２の外周囲と実質的に同一の形状及び寸法を有しており、八角形状の筒状部１２の上端を覆っている。蓋部１３の中央部には切り欠き１３ａが形成されており、この切り欠き１３ａには一対の取っ手１３ｂ１，１３ｂ２が挿通固定されている。蓋部１３の一辺には一対の舌片１３ｃが形成されている。底部１４は、実質的に方形状であり、八角形状の筒状部１２の下端を覆っているが、一部において筒状部１２から外方にはみ出ており、このはみ出た部分が鍔部１４ａとなっている。ここでは鍔部１４ａは４箇所に形成されている。
【００３４】
また、筒状部１２は、底部１４より高い位置に、一対のストッパー部１２ｆ、１２ｇ（図４参照）が形成されている。これらのストッパー部は、筒状部の外周囲を一部切り起した舌片で形成されている。なお、ストッパー部はこの位置からさらに高い位置にも設けてもよい。これにより、粘着トラップは段階的に位置決め固定が可能になる。
【００３５】
筒状支持体１１は、その形状が家畜の形状に擬似していることが好ましい。その大きさは、例えば家畜の大きさと誤認される大きさ、筒状支持体１１の体積をＸとしたとき、この体積が１．０００ｍ３≧Ｘ≧０．００７ｍ３程度とすると好ましい。なお、筒状支持体１１の体積が１．０００ｍ３より大きいと、運搬や設置、組み立てに多くの労力が必要となる。一方、筒状支持体１１の体積が、０．００７ｍ３より小さいと捕獲する飛翔性害虫の量が少なくなり、多くの翔性害虫捕獲装置を設置する必要があり、上記と同様に運搬や設置、組み立てに多くの労力が必要となり、また、製作費用も高くなるおそれがある。なお、このときの体積Ｘは、筒状支持体で形成される立体形状の内部空間のことをいう。
【００３６】
また、筒状支持体１１は、翔性害虫捕獲装置１０が屋外で使用されるものは、天候の変化に対応できる部材で形成されていることが好ましく、雨水に曝されても腐敗や錆が起こらないようなプラスチック材などで形成されるようにする。また、屋内で使用されるものでは、これらの材料のほかダンボール紙、画用紙などで形成することができる。
【００３７】
この筒状支持体１１は、図４に示すように、ここでは所定形状に切り抜かれた一枚のシート材１１Ａを折り曲げて組み立てることにより作製されている。このシート材１１Ａは、作製工程からして、ある程度の柔軟性が必要であり通常は上記した材料、例えばプラスチック製シート、ダンボール紙ないし画用紙が用いられる。なお、図４においては図３に示した構成と対応する箇所には同一の参照符号を付与してある。
【００３８】
このシート材１１Ａは、折り曲げることにより平面視で八角形状の筒状部１２となる８面分の筒状部形成部１２１〜１２８と、この筒状部形成部の一方の側端に設けられた側面タブ１２ｃとを有している。一つの筒状部形成部１２２には、上端側に蓋部１３が、下端側に底部１４が設けられている。蓋部１３には、中央部に長方形状の切り欠き１３ａが設けられているとともに、上部に舌片１３ｃが設けられている。底部１４には下部に舌片１４ｂが設けられている。
【００３９】
筒状部形成部１２４、１２６、１２８には、それぞれ上端側に上部タブ１３ｄ〜１３ｆが、それぞれ下端側に下部タブ１４ｃ〜１４ｅが設けられている。上部タブ１３ｄ，１３ｆの上端部にはそれぞれ取っ手１３ｂ１，１３ｂ２が設けられている。筒状部形成部１２６と上部タブ１３ｅとの間には切り込むことによって切り込み付き舌片１２ａが形成されているとともにその両側に差し込み溝１２ｄが設けられている。同じく筒状部形成部１２６と下部タブ１４ｄとの間にも切り込むことによって切り込み付き舌片１２ｂが形成されているとともにその両側に差し込み溝１２ｅが設けられている。また、舌片１３ｃと蓋部１３との境界部には差し込み溝１３ｇが形成されており、底部１４と舌片１４ｂとの間にも差し込み溝１４ｆが形成されている。
【００４０】
ストッパー部１２ｆ、１２ｇは、筒状部１２の外周囲の一部切り起した舌片で形成されて、これらの切り起し舌片は切り起す際にできた切欠き穴に嵌り或いはこの穴から外方へ突出自在になっている。
【００４１】
このような構成のシート材１１Ａの組み立ては、次のようにして行うことができる。まず、筒状部形成部１２１〜１２８間を折り曲げて環状に成型し、側面タブ１２ｃの表面と筒状部形成部１２１の裏面とを接着剤により固定することにより、平面視で八角形状の筒状部１２を形成する。
【００４２】
その後、下部タブ１４ｃ及び１４ｅを筒状部１２の内側となるように折り曲げ、下部タブ１４ｄを筒状部１２の内側となるように折り曲げる。その後に底部１４を下部タブ１４ｃ〜１４ｅを覆うように折り曲げ、底部１４の舌片１４ｂを筒状部形成部１２６と下部タブ１４ｄとの間に形成されている差し込み溝１２ｅに差し込み、さらに切り込み付き舌片１２ｂを底部１４と舌片１４ｂとの間に形成されている差し込み溝１４ｆに差し込む。これにより、筒状部１２と底部１４とが強固に固定される。なお、底部１４の一部は筒状部１２の外周側より突出した状態となるが、この部分が鍔部１４ａ（図１〜図３参照）となる。
【００４３】
その後、上部タブ１３ｅを筒状部１２の内側となるように折り曲げ、上部タブ１３ｄ及び１３ｆを折り曲げるとともに、２つの取っ手１３ｂ１，１３ｂ２を重ねて上に突出するように折り曲げる。２つの取っ手１３ｂ１，１３ｂ２は、一体となって筒状支持体１１自体ないしは筒状支持体１１に被覆シート１３が取り付けられた飛翔性害虫捕獲装置１０（図１参照）を把持する部分として、或いは吊り下げ用のフックを掛ける部分として用いることができる。
【００４４】
次いで、蓋部１３を上部タブ１３ｄ〜１３ｆを覆うように折り曲げ、２つの取っ手１３ｂ１，１３ｂ２を蓋部１３に形成されている切り欠き１３ａ内に挿通し、蓋部１３の舌片１３ｃを筒状部形成部１２６と上部タブ１３ｅとの間に形成されている差し込み溝１２ｄに差し込み、さらに切り込み付き舌片１２ａを蓋部１３と舌片１３ｃとの間に形成されている差し込み溝１３ｇに差し込む。これにより、内部が中空でありながら、筒状部１２と蓋部１３とが強固に固定された、実施形態の飛翔性害虫捕獲装置１０で用いる筒状支持体１１が完成される。なお、筒状支持体１１の組み立てるためのシート材１１ａは、全てが一枚のシートから構成されている必要はなく、筒状支持体１１自体の構成に応じて一部を貼り合わせて一枚のシートとなるようにしてもよい。
【００４５】
上記実施形態の飛翔性害虫捕獲装置１０では、筒状支持体１１を一枚のシート材１１Ａを折り畳んで組み立てることにより作製した例を示したが、筒状部と蓋部及び底部は別体のものであってもよい。ただし、底部は、筒状部の下端を覆うとともに、少なくとも一部が筒状部の外周よりも外方へ突出して鍔部を形成しているようにすることは必須である。なお、筒状支持体１１を一枚のシート材１１ａを折り畳んで組み立てることに作製できるようにするためには、底部の一部分が筒状部の形成部分と一体化されていることが必要である。
【００４６】
また、上記実施形態の飛翔性害虫捕獲装置１０で使用する筒状支持体１１では、筒状部１４として筒状部形成部１４１と側面タブ１４ｃとを接着することにより形成した例を示したが、両者を両面テープや粘着テープで固定し、また一方に差し込み部を形成するとともに他方に差し込み穴を形成し、両者を嵌合することによって形成するものとしてもよい。
【００４７】
次に、図５を参照して、粘着トラップを説明する。なお、図５は粘着トラップを示し、図５Ａは粘着トラップの斜視図、図５Ｂは図５Ａの粘着トラップの変形例の斜視図である。
粘着トラップ１７は、図５Ａに示したように、外表面に粘着性材料１９が塗布され光吸収性の高い色の粘着シート１８の両側端縁が連結片２０で結合されて筒状に形成されている。この粘着トッラプ１７は、使用前は粘着シート１８の粘着性材料１９が塗布された面に剥離シート２１が貼られている。粘着シート１８は、光吸収性の高い色とするが、この色は、粘着性材料１９自体を光吸収性の高い色、例えば黒色、或いは粘着性材料１９を透明に近くて下地の色がそのまま視認される場合には、下地を光吸収性の高い色で形成されている。
【００４８】
このように、粘着シート１８を光吸収性の高い色とすることの理由は、上記特許文献５にも示唆されているように、飛翔性害虫の補角効率が向上するためである。なお、光吸収性の高い色としては、黒色だけでなく、濃紺色、紺色、深緑色、濃茶色、茶色、暗灰色などを採用することができ、またこれらの色を適宜に組み合わせたものとすることも可能である。特に、飛翔性害虫は家畜に多く誘引されるので、家畜に擬態するような模様としてもよい。また、粘着性材料１９中に飛翔性害虫を誘引する臭いやフェロモン等を混入してもよい。
【００４９】
粘着トラップ１７は、上下端が開放されて筒状となっており、その全長は、筒状支持体１１の筒状部１２の高さと同じ長さか、それより短長になっている。この長さによって、粘着トラップ１７を筒状支持体１１の筒状部１２に被せた際に、短長の場合は、粘着トラップ１７の下端が筒状支持体１１の鍔部１４ａ上に載っているときに筒状部１２の上端がこれで被われずに露出され、粘着トラップ１７を引き上げ、ストッパー部１２ｆ、１２ｇに留めたとき、この露出部分が無くなり、また、同じ長さの場合は、露出部分が無いことになる。粘着トラップ１７を筒状支持体１１の筒状部１２で上下動させることによって、
粘着トラップに万遍なく飛翔性害虫を捕獲できるようになり、粘着トラップの有効利用が図られて無駄を無くすることができる。
【００５０】
また、粘着シート１８の連結片２０にはミシン目２０ａが設けられている。このミシン目により、ミシン目の間のタブ２０ｂを摘まんで下方へ引き下げることによって、連結片２０が引裂かれて筒状本体１１から取り外すことができる。連結片２０に設けたミシン目２０ａは引裂き手段となっているが、この引裂き手段はミシン目に限定されるものでなく、他の手段例えばスリットなどでもよい。図５Ｂの粘着トラップ１７Ａは連結片２０を省いて、粘着シート１８の両側端縁を粘着性材料の粘着力を利用して貼り合せたものである。この構成により、連結片２０が不要になり、粘着トラップ１７Ａの作製が簡単且つ安価になる。
【００５１】
この粘着トッラプ１７は、使用前は粘着シート１８の粘着性材料１９が塗布された面に剥離シート２１が貼られている。これにより、使用前は、粘着性材料に他の物体に接触することがない。なお、図５Ａには剥離シート２０の一部を剥離した状態が示されている。
【００５２】
これらの粘着トラップ１７、１７Ａは、通常、嵩張らないようにするために折り畳まれた状態で運搬され、販売される。図５に示した状態は、折り畳まれた状態から矢印に示す方向に開いた状態を示す斜視図である。
【００５３】
このような構成の筒状の粘着トラップ１７を、中心部で開いて図３に示した筒状支持体１１の筒状部１２に被せると、図１に示した飛翔性害虫捕獲装置１０が完成される。
【００５４】
粘着トラップ１７の連結片２０は、数ｍｍの厚さの厚紙を用いている。これは、室外での使用でも耐え得る耐久性と、連結片の切り離し易さのバランスを考慮している。また、粘着シート１８の粘着性材料１９が塗布された部位からミシン目２０ａまでの所定長さを確保している。これは、連結片のタブ２０ｂを引っ張る際、その長さの部位を持って作業ができるようにするためである。これにより、粘着性材料１９に手が触れることなく、連結片２０の切り離し作業を容易に行うことができる。
【００５５】
図１、２を参照して、飛翔性害虫捕獲装置１０の使用方法を説明する。
まず、飛翔性害虫捕獲装置１０を牛舎などへ持ち運び、筒状支持体１１を組立てる。組立てた筒状支持体１１は、その直立した筒状部１２に粘着トラップ１７１を上方から被せて、この筒状部に沿って引き下げて、粘着トラップ１７の下端を鍔部１４ａに当接させて、位置決め固定して、地面に設置する。なお、図１の飛翔性害虫捕獲装置１０は粘着トラップ１７をストッパー部で位置決め固定した状態を示している。
【００５６】
次いで、剥離シート２１を剥離して、使用を開始する。この開始に伴い、飛翔性害虫は粘着トラップ１７の粘着シート１８に誘引されて捕獲される。しかし、この捕獲量は、粘着トラップの粘着シート１８に均一に付着・捕獲されずに、粘着シート１８のエリア（領域）によって、違った量となる。例えば、サシバエの場合、概ね、直立した筒状部１２の上方部分の粘着シート１８に多く、筒状部１２の根元部分の少なく、上方部に比べて極めて疎らになる。このまま使用を継続しても傾向は変わらない。
そこで、この使用中に、この捕獲量を監視して、根元部分の捕獲量が上方部に比べて少ない場合は、粘着トラップ１７を直立した筒状部１２に沿って上方へ引き上げて、粘着トッラプ１７の下端をストッパー部１２ｆ、１２ｇで位置決め固定して、使用を継続する（図２参照）。
【００５７】
この継続使用により、粘着トッラプ１７の粘着シート１８には害虫が万遍なく付着・捕獲される。使用後の粘着トラップ１７は、連結片２０のタブ２０ｂを下方に引っ張ることにより、粘着シート１８が連結片２０の中央部から開かれて、筒状支持体１１の筒状部１２から取り外し、廃棄する。その後、新たな粘着トッラプ１７を筒状支持体１１の筒状部１２に被せることにより、再度飛翔性害虫捕獲装置１０を組み立てることができる。このとき、筒状支持体１１は再利用ができるので、飛翔性害虫捕獲装置１０の作製費用を減らすことができる。なお、新たな粘着トッラプ１７は、筒状部１２内に保管しておくことができ、交換の際は、蓋部１３を開いて取り出し使用すればよい。
また、粘着トラップ１７は筒状支持体１１の鍔部１４ａ又はストッパー部１２ｆ、１２ｇのいずれかで位置決め固定できるので、使用中に粘着トラップへの飛翔性害虫の捕獲状況を監視し、その状況に応じて粘着トラップを筒状支持体で下動させて鍔部又はストッパー部のいずれかの位置決め固定することにより、粘着トラップに万遍なく飛翔性害虫を捕獲できるようになり、粘着トラップの有効利用が図られて無駄を無くすることができる。
【００５８】
［変形例］
上記実施形態の飛翔性害虫捕獲装置１０では、筒状支持体１１の筒状部１２の形状を平面視で八角形状とした例を示したが、これに限らず、角筒状のものであっても、円筒状のものであってもよい。このような第１変形例及び第２変形例の筒状支持体の概略構成を図６Ａ及び図６Ｂを用いて説明する。なお、図６Ａ及び図６Ｂにおいては、実施形態の筒状支持体１１に設けられている取っ手１３ｂ１、１３ｂ２に対応する構成や組み立てに必要な細部の構成については図示省略してある。
【００５９】
第１変形例の筒状支持体２１は、図６Ａに示したように、平面視で四角形状の筒状部２４、筒状部２４の上端を覆う四角形状の蓋部２５と、筒状部２４の下端を覆う四角形状の底部２６とを有している。そして、底部２６の一部は筒状部２４の外周よりも外方へ延在されており、鍔部２６ａとされている。また、筒状部２４の外周囲にはストッパー部２４ａが形成されている。
このような構成の筒状支持体２１であっても、図５に示した構成の筒状の粘着トッラプ１７を中心部で開いて筒状部２４に被せると、粘着トッラプの下部が鍔部２６ａ上に載置されるので、図１に示した飛翔性害虫捕獲装置１０と同様の作用効果を奏する変形例１の飛翔性害虫捕獲装置が得られる。
【００６０】
第２変形例の筒状支持体３１は、図６Ｂに示したように、平面視で円形状の筒状部３４、筒状部３４の上端を覆う円形の蓋部３５と、筒状部３４の下端を覆う楕円形状の底部３６とを有している。そして、楕円形状の底部３６の一部は筒状部３４の外周よりも外方へ延在されており、鍔部３６ａとされている。また、筒状部３４の外周囲にはストッパー部３４ａが形成されている。このような構成の筒状支持体３１であっても、図５に示した構成の筒状の粘着トッラプ１７を中心部で開いて筒状部３４に被せると、被覆シートの下部が鍔部３６ａ上に載置されるので、図１に示した飛翔性害虫捕獲装置１０と同様の作用効果を奏する変形例２の飛翔性害虫捕獲装置が得られる。
【符号の説明】
【００６１】
１０                              飛翔性害虫捕獲装置
１１，２１，３１                  筒状支持体
１１Ａ                            シート材
１２、２４，３４                  筒状部
１２ｆ、１２ｇ、２４ａ、３４ａ      ストッパー部
１４ａ、１６ａ，２６ａ，３６ａ      鍔部
１７、１７Ａ                      粘着トラップ
１８                              粘着シート
１９                              粘着性材料
２０                              連結片
２０ａ                            ミシン目
２１                              剥離シート
【図１】
0006455671.tif 000002
【図２】
0006455671.tif 000003
【図３】
0006455671.tif 000004
【図４】
0006455671.tif 000005
【図５】
0006455671.tif 000006
【図６】
0006455671.tif 000007